(57)【要約】【課題】  塗布液を大容量の収容可能な容器であって、容器からの簡便な液供給が可能で同時に塗布部への過剰供給による液漏れや汚染を防ぐことができる安全な髪用塗布具を提供する。【解決手段】  多孔質塗布体と、多孔質塗布体に併設される複数の櫛体の有る櫛部によって毛髪を梳くと共に、容器内の塗布液を、該多孔質塗布体を介して毛髪に塗布するため髪用塗布具において、容器から多孔質塗布体に、塗布液供給あるいは空気置換のために連通する複数の供給路を配置し、複数の供給路の長さが各々異なる髪用塗布具。【選択図】図１
2016087068.tif 000002
【特許請求の範囲】
【請求項１】
多孔質塗布体と、多孔質塗布体に併設される複数の櫛体の有る櫛部によって毛髪を梳くと共に、容器内の塗布液を、該多孔質塗布体を介して毛髪に塗布するため髪用塗布具において、
容器から多孔質塗布体への塗布液供給あるいは外部から容器への空気置換のために連通する複数の供給路を配置し、複数の供給路の長さが各々異なることを特徴とする髪用塗布具。
【請求項２】
容器断面が軸心に対し、非回転体形状であることを特徴とする請求項１記載の髪用塗布具。
【請求項３】
容器内には、直接塗布液が収容されており、
容器に連続する複数の供給路は、容器の軸心から離れた位置に配置されていることを特徴とする請求項１又は２記載の髪用塗布具。
【請求項４】
多孔質塗布体とは毛細管力の異なる中綿が配置され、当該中綿は、それに塗布液が一時貯留可能なものであることを特徴とする１から３のうちの１項に髪用塗布具。
【発明の詳細な説明】
【技術分野】
【０００１】
本発明は、染毛剤等の髪用化粧料を塗布する髪用塗布具に関するものであり、容器本体に取り付けられ、髪（人間、その他のペット動物等を含む毛髪）を梳きながら容器に収容した塗布液（染毛剤、整髪剤、育毛剤等）を髪に塗布するための髪用塗布具に関するものである。
【背景技術】
【０００２】
従来、容器に収容した染毛剤などをその容器に取り付けた櫛部の櫛歯間に導入して、この櫛部で髪を梳くことによって髪を染める髪用塗布具が知られている。
【０００３】
特許文献１、特許文献２では、多孔質体と、多孔質体に櫛体を併設し、髪の毛を櫛体で梳かしながら塗布液を塗り浸ける構造の髪用塗布具が開示されている。
【先行技術文献】
【特許文献】
【０００４】
【特許文献１】特許第４７２６４３９号公報
【特許文献２】特開２０１３−３５５７９
【発明の概要】
【発明が解決しようとする課題】
【０００５】
前述の特許文献１、２の容器では、塗布液の収容部で吸液性の中綿に吸液させる構造であるが、頭髪全体の複数回染められるほど塗布液を大容量化しにくいものであった。また、同特許文献１、２の容器では、周囲気圧の変動や、使用による塗布液減少や塗布具の置き方に対応した気液置換できず、容器からの簡便な液供給ができず、塗布部への過剰供給による液漏れや汚染が生じるおそれがあった。
【０００６】
また、地肌を汚さずに簡単に全体を染めるために大型化できる塗布部が望まれるが、単に大型の塗布部では、容器からの簡便な液供給がしにくく、塗布部への過剰供給による液漏れや汚染が生じる問題があった。
【０００７】
本発明は、斯かる実情に鑑み、塗布液を大容量の収容可能な容器であって、容器からの簡便な液供給が可能で同時に塗布部への過剰供給による液漏れや汚染を防ぐことができる安全な髪用塗布具を提供しようとするものである。
【課題を解決するための手段】
【０００８】
本発明は、多孔質塗布体と、多孔質塗布体に併設される複数の櫛体の有る櫛部によって毛髪を梳くと共に、容器内の塗布液を、該多孔質塗布体を介して毛髪に塗布するための髪用塗布具において、
容器から多孔質塗布体への塗布液供給、および容器への空気置換のために連通する複数の供給路を配置し、複数の供給路の長さが各々異なることを特徴とする髪用塗布具である。
【０００９】
本発明において、容器断面が軸心に対し、非回転体形状であることが好適である。非回転体形状としては、軸心に対して円形以外の多角形、長円形、楕円形など各種とすることができる。
【００１０】
本発明において、容器内には、直接塗布液が収容されており、容器に連続する複数の供給路は、容器の軸心から離れた位置に配置されていることが好適である。
【００１１】
本発明において、多孔質塗布体とは毛細管力の異なる中綿が配置され、当該中綿は、それに塗布液が一時貯留可能なものであることが好適である。
【００１２】
なお、多孔質塗布体と中綿が接しており、かつ、容器からの供給路は多孔質塗布体に繋がり中綿には多孔質塗布体から塗布液が出入りするようになっていることが好適である。
【００１３】
ここで、発明者は、本発明の髪用塗布具の開発時に、塗布液タンクを、頭髪全体を複数回染められる大容量ボトル（例えば５０ｍｌから２００ｍｌ容器において、好ましくは５０ｍｌから１００ｍｌ容器）とし、また、地肌を汚さず、簡単に全体を染められる大型の塗布部とするために、大容量ボトルから大型の塗布部へ簡便な液供給を考えた。
【００１４】
大容量ゆえに、同時に塗布部への過剰供給による液溢れや、汚染を防ぐような、安全な新規の液供給機構のためには、汎用的なポンプを考えたのでは、ノックが重たく使用性が悪い。また、過剰供給での液漏れが懸念される。
【００１５】
そこで、発明者は余剰分の液を吸収させる中綿を設けることを案出した。この場合、比較例を図１２に示す。図１２に示すように、比較例の塗布具において、塗布部を下向きにして、塗布部の塗布体ａに繋げた供給パイプｂが短い状態のままのものをまず、考えた。この状態ではタンクｃの内圧が高くなると供給パイプｂを通して内圧の上昇分の液が塗布体ａに向けて押し出される。塗布体ａから溢れた液を中綿ｄに吸収させるとしても、毛管力の関係から５０ｍｌから２００ｍｌ容器、好ましくは５０ｍｌから１００ｍｌ容器の大容量に対応するように中綿ｄを巨大化するのは塗布部周辺構造の大型化を招き、現実的には難しい。
【００１６】
したがって、タンクの内圧が高くなった場合に、気体で圧力を逃がして液が押し出さられなくして、一定量の液が自動的に、塗布部に供給される機構が望ましい。
【００１７】
そこで、本発明では、全頭用毛染め塗布具容器として連通路のパイプを長さの異なる複数（好適には２本）とすることで、パイプの片側で液供給、残る片側のパイプで空気置換が自然と行われる設計を可能にしたものである。
【発明の効果】
【００１８】
本発明の髪用塗布具によれば、供給路の長さを異ならせることで、容器の内圧を逃がすと共に塗布液の供給を断つことがない髪用塗布具を提供できる。
【００１９】
なお、容器形状を非回転体形状とすることで容器を横向きにしても供給パイプを機能させることができる。
【図面の簡単な説明】
【００２０】
【図１】本発明の実施形態に係る髪用塗布具の説明図であり、（ａ）が先方の塗布部側からの視図、（ｂ）が幅広側面の図、（ｃ）が幅狭側面の図、（ｄ）が（ｂ）のＤ−Ｄ線に沿う断面図、（ｅ）が（ｄ）において誘導パイプの配置状態を示す説明図、（ｆ）が（ｃ）のＦ−Ｆ線に沿う断面図、（ｇ）が外観斜視図である。
【図２】前記髪用塗布具の塗布部に設けた櫛部の説明図であり、（ａ）が先方側の視図、（ｂ）が幅広側面の図、（ｃ）が幅狭側面の図、（ｄ）が外観斜視図、（ｅ）が（ａ）のＥ−Ｅ線に沿う縦断面図である。
【図３】前記髪用塗布具の塗布部に設けた多孔質塗布体の説明図であり、（ａ）が先方側の視図、（ｂ）が幅広側面の図、（ｃ）が幅狭側面の図、（ｄ）が外観斜視図である。
【図４】前記髪用塗布具のバッファ用中綿の説明図であり、（ａ）が先方の塗布部側の視図、（ｂ）が幅広側面の図、（ｃ）が幅狭側面の図、（ｄ）が外観斜視図である。
【図５】前記髪用塗布具の塗布部に設けた先軸部の説明図であり、（ａ）が先方側からの視図、（ｂ）が幅広側面の図、（ｃ）が（ａ）のＣ−Ｃ線に沿う縦断面図、（ｄ）が幅狭側面の図、（ｅ）が外観斜視図、（ｆ）が多孔質塗布体への挿入用パイプの先端部拡大斜視図、（ｇ）が同パイプ体の拡大断面図である。
【図６】前記髪用塗布具において、塗布部において多孔質塗布体、中綿を櫛部に装着したものの説明図であり、（ａ）が先方側からの視図、（ｂ）が幅広側面の図、（ｃ）が（ａ）のＣ−Ｃ線に沿う縦断面図、（ｄ）が幅狭側面の図、（ｅ）が外観斜視図である。
【図７】前記髪用塗布具の塗布液タンク（容器）の説明図であり、（ａ）が先方側の視図、（ｂ）が幅広側面の図、（ｃ）が（ａ）のＣ−Ｃ線に沿う縦断面図、（ｄ）が幅狭側面の図、（ｅ）が外観斜視図である。
【図８】前記髪用塗布具のカバー体の説明図であり、（ａ）が斜視図、（ｂ）が先方側の視図、（ｃ）が幅広側面の図、（ｄ）が後方からの視図、（ｅ）が幅狭側面の図、（ｆ）が（ｂ）のＦ−Ｆ線に沿う縦断面図である。
【図９】前記髪用塗布具の継手の説明図であり、（ａ）が先方側の視図、（ｂ）が側面図、（ｃ）が後方からの視図、（ｄ）が（ｂ）と別方向の側面図、（ｅ）が（ａ）のＥ−Ｅ線に沿う縦断面図、（ｆ）が連通溝の形成状態を説明する縦断面図、（ｇ）が外観斜視図、（ｈ）下側から見た外観斜視図、（ｉ）が別角度の外観斜視図である。
【図１０】前記髪用塗布具において、継手に供給パイプを部組したものの説明図であり、（ａ）が後方側からの視図、（ｂ）が先方側からの視図、（ｃ）側方からの視図、（ｄ）〜（ｆ）が様々の状態の斜視図、（ｇ）が一部透視した説明図、（ｈ）が（ｃ）の状態の縦断面図、（ｉ）が連通溝を示した説明図である。
【図１１】前記髪用塗布具の横倒しにした状態の斜視説明図で、（ａ）が軸に沿って切断したもの、（ｂ）が全体の外観である。
【図１２】比較例の説明図である。
【発明を実施するための形態】
【００２１】
以下、本発明の実施形態について添付図面を参照して説明する。
【００２２】
図１は実施形態に係る髪用塗布具の全体説明図、図２〜図１０は各部の説明図である。
【００２３】
図１に示すように、実施形態に係る前記髪用塗布具は、多孔質塗布体１０と、多孔質塗布体１０に併設される複数の櫛体１２ａの有る櫛部１２によって毛髪を梳くと共に、容器（塗布液タンク１４）内の塗布液を、該多孔質塗布体１０を介して毛髪に塗布するため髪用塗布具において、容器から多孔質塗布体１０に、塗布液供給および空気置換のために連通する複数の供給路（供給パイプ１６と連通路１８）を配置し、複数の供給路の長さが各々異なるものである。
【００２４】
また、容器（塗布液タンク１４）の内容量は６０ｍｌであり、断面が軸心に対し、断面楕円形等の非回転体形状である。
【００２５】
また、複数の供給路（供給パイプ１６と連通路１８）は、容器の軸心から離れた位置に配置されている。
【００２６】
また、塗布部２２には、多孔質塗布体１０とは毛細管力の異なる中綿２０が配置され、当該中綿２０は、それに塗布液が一時貯留可能なものである。実施形態では、多孔質塗布体１０の毛細管力は、中綿２０の毛細管力よりも高くなっている。
【００２７】
以下に各部を詳細に説明する。
〔塗布部２２〕
図１に示すように、髪用塗布具の先方に設けた塗布部２２は、櫛部１２と多孔質塗布体１０と中綿２０と先軸部２４とを組み合わせて、一体化したものである。
【００２８】
櫛部１２には、下方から多孔質塗布体１０を先方向きに装入して櫛体１２ａに接するようにしている。その櫛部１２には、更に中綿２０を装入して当該多孔質塗布体１０の下面に中綿２０を接しさせている。そして、その櫛部１２には下方から先軸部２４によって塞ぐ。先軸部２４は、櫛部１２から多孔質塗布体１０と中綿２０を脱落しないようにし保持し、かつ、塗布液の多孔質塗布体１０への誘導および空気置換を行う。
【００２９】
〔櫛部１２〕
櫛部１２は、図２に示すように、全体が矩形筒状であり、先方の開口は複数の棒状部で仕切られて複数開口が形成された櫛体１２ａとなる。
【００３０】
具体的には、櫛体１２ａは、図２の（ｄ）、（ｅ）に示すように、両側壁部から先方に延びた柱状部１２ａ１…の両先端同士を棒状の橋状部１２ａ２…によって繋ぐ櫛歯構造としている。橋状部１２ａ２…同士間の空間が開口となる。また、後方の開口は多孔質塗布体１０及び中綿２０の装着口である。なお、本発明の櫛部及び櫛歯は、髪の毛を梳くのに適していればその他、種々の形状を呈することができる。
【００３１】
〔多孔質塗布体１０及び中綿２０〕
多孔質塗布体１０は、図３に示すように、全体が略角柱状であり、その先方に向いた一側面の先方（上側）端１０ａに山谷の鋸歯形状が形成されている。
【００３２】
中綿２０は、図４に示すように、断面略矩形の角柱形状を呈している。
【００３３】
櫛部１２に多孔質塗布体１０と中綿２０を装着した状態では、図６に示すものになり、櫛体１２ａの橋状部１２ａ２に隣接して多孔質塗布体１０の先方端１０ａの山の部分が位置し、先方端１０ａの谷の部分が空間（橋状部１２ａ２…同士の間）に臨んでいる。髪を梳く際に当該空間に選り分けられた髪の毛が通り、つまり、柱状部１２ａ１…の両先端同士を棒状の橋状部１２ａ２…で繋いだ櫛歯構成の間に髪の毛を通すことにより、髪の毛は多孔質塗布体１０の先方端１０ａに効率良く触れ、塗布液を十分に塗布できる。
【００３４】
〔先軸部２４〕
また、先軸部２４は、図５に示すように、先方が開口し下方が閉じた概略矩形容器状を呈しており、底部に継手２８を嵌着するための、下方向きに円筒状に突出する継手受け部２４ａが設けられる。また、その底部からは、誘導パイプ２４ｂが軸方向に平行に対で上方向きに立設している。塗布部２２において、図１（ｅ）（ｆ）に示すように、先軸部２４を組み立てた状態では、前記の誘導パイプ２４ｂが中綿２０を貫いて、多孔質塗布体１０に差し込まれる。誘導パイプ２４ｂの先端は斜めにカットされて、差し込み易くなっている。
【００３５】
また、図５（ｆ）、（ｇ）に示すように、誘導パイプ２４ｂの周面から先端面にかけて微小なスリットの空気置換溝２４ｃが形成されている。図１（ｆ）に示すように、誘導パイプ２４ｂを差し込んだ状態で誘導パイプ２４ｂの外周面に対して多孔質塗布体１０及び中綿２０の間に空気置換溝２４ｃによって隙間が確保される。
【００３６】
多孔質塗布体１０に刺さる誘導パイプ２４ｂは、微小なスリットが切った空気置換溝２４ｃによって、塗布液タンク１４内の内圧上昇時に抜けてきた空気をスムーズに外に排出する。また、当該多孔質塗布体１０の塗布液が消費された際に負圧が生じるが、空気置換溝２４ｃによって空気が当該タンク１４内に流通し易くなり、気液置換が容易にできる。
【００３７】
〔塗布液タンク１４、カバー体２６〕
塗布液タンク１４はカバー体２６に下方から挿入して、実施形態の髪用塗布具に装着される。
【００３８】
塗布液タンク１４は図７に示すように、軸方向から見て楕円形形状等の非回転体形状を呈しており、実施形態の髪用塗布具が平面上に横倒しになっても自由に転がらないように構成されている。塗布液タンク１４の上端口元部１４ａは中央の本体部よりも径が細い円筒形状に形成されている。
【００３９】
カバー体２６は、下方が開放され、塗布液タンク１４の外周面に倣った楕円形形状等の非回転体形状を呈している。カバー体２６の上端は円形開口２６ａを有し、その円形開口２６ａは先軸部２４下面に突出した継手受け部２４ａに外嵌して固定される。円形開口２６ａには、下向きに周壁が形成され、図１（ｆ）に示すように、継手受け部２４ａの周面に摺接して外嵌できるようになっている。
塗布液タンク１４内に充填される塗布液は、粘度が２０ｍＰａ・ｓ以下のニュートン流体である事が望ましい。この粘度の塗布液であれば、染毛料や整髪料、育毛剤等の塗布具として好適である。
【００４０】
〔継手２８〕
継手２８には、図９に示すように、概略円盤形状を呈し、外周面にシール材（オーリング等）３０（図１参照）固定用の溝が形成されている。図１（ｆ）に示すように、先軸部２４の継手受け部２４ａに嵌め込んだ際には、シール材３０が２本設置されて液密になり塗布液の漏れを防止している。
【００４１】
また、継手２８には軸方向に沿った塗布液を流すことと空気置換のための連通路１８が間隔をおいて２つ形成され、さら継手２８上面には、その連通路１８に繋がって対で溝２８ａが形成されている。
【００４２】
継手２８において、複数の供給路は、容器の軸心から離れた位置に配置されていることを、具体化するため、継手２８には、図１０に示すように、連通路１８の一つに下方から供給パイプ１６を差し込んで挿着しており、他方に装着していない。供給パイプ１６の装着位置が図１に示すように、軸心に対して片側に寄っている。
【００４３】
これにより、図１に示すように、供給路の一つは、連通路１８から供給パイプ１６に至る構造とし、供給路の他の一つは、連通路１８のみとする構造としている。
【００４４】
連通路１８の上側つまり継手２８の表面側では、溝２８ａの一端部に連通路１８が位置する。図１（ｅ）に示すように、髪用塗布具を組み立てた状態では、溝２８ａの他端部が先軸部２４の誘導パイプ２４ｂの下端開口に対応している。
【００４５】
したがって、髪用塗布具では、誘導パイプ２４ｂに連通路１８が連通しており、連通路１８を通った塗布液が多孔質塗布体１０に伝達（送液）されるようになっている。
【００４６】
また、溝２８ａは、連通路１８に繋がる側と誘導パイプ２４ｂの繋がる側が、継手２８の周方向で９０度ずれた位置になっている（図１０、図１１参照）
【００４７】
なお、上記の塗布部２２において、櫛部１２の櫛体１２ａ、継手２８、供給パイプ１６、塗布液タンク１４、カバー体２６は、それぞれ樹脂製とすることができるが、そのうちの一つ又は複数を必要に応じて金属製とすることもできる。特に櫛体１２ａは、金属、天然素材、その他の板部材を使用できる。
【００４８】
櫛体１２ａの柱状部１２ａ１…の両先端同士を繋いだ棒状の橋状部１２ａ２…の間隔は２〜２０ｍｍ好ましくは、５〜９ｍｍが好ましい。
【００４９】
多孔質塗布体１０は連続多孔質体の成形体が好適である。また、中綿２０は多孔質体の他、繊維束、不織布等適宜に用いることができる。少なくとも多孔質塗布体１０が中綿２０よりも毛細管力が強ければ各種の素材を用いることができる。
【００５０】
実施形態の髪用塗布具によれば、塗布液タンク１４が透明又は半透明であることにより、塗布液残量の視認が容易である。
【００５１】
また対の連通路１８に供給パイプ１６の有無で対の供給路の長さを異ならせることで、容器の内圧を逃がすと共に塗布液の供給を断つことがない髪用塗布具を提供できる。
【００５２】
塗布液タンク１４の形状を非回転体形状とすることで容器を横向きにしても供給パイプ１６を機能させることができる。実施形態では、非回転体形状の例として楕円形状断面の塗布液タンク１４としている。非回転体形状としては断面円形でなければよく、断面多角形も含むんで塗布液タンクを形成できる。
【００５３】
図１１は、実施形態の髪用塗布具の横倒しにして、多孔質塗布体１０と櫛部１２と中綿２０とカバー体２６を取り外した状態を示している。
【００５４】
継手２８には、連通路１８、１８が二つ設けられている。一方・他方の連通路１８に供給パイプ１６の有・無となっている。横倒しにした際に、図１１の例では、上側一方の供給路では、連通路１８が塗布液タンク１４内に臨みそのまま空気流通し、下側他方の供給路では、連通路１８差し込まれた供給パイプ１６が塗布液タンク１４内に臨み塗布液を流通させる。
【００５５】
連通路１８に供給パイプ１６の有無で流路が個別に分かれるのでインクタンクからの液供給量が安定し、大型塗布部に迅速適切に塗布液が行き渡る。
【００５６】
毛管力は、多孔質塗布体１０＞中綿２０となっており、パイプ出口の塗布部２２が液で満たされると毛管力が働かなくなると同時に空気置換も停止し自然と液充填が止まる。
【００５７】
ただし、大容量が条件なっているため、インクタンク（塗布液タンク１４）内圧が上がると、押し出される液量も増える。中綿２０で余剰分は吸収する設計だが、十分な余裕を持たせると巨大な中綿が必要になり現実的ではない（図１２に示した状態を避ける）。
【００５８】
そのために、塗布液タンク１４の内圧が上がると塗布液が押し出されることなく積極的に内圧上昇を逃がす設計をしたものである。
【００５９】
具体的には、縦置き時に片側のパイプ（供給パイプ１６）を伸ばし（シュノーケル）内圧が上昇しても連通路１８から空気が逃げるなど空気の逃げる通り道を作ったものである。
【００６０】
横置き時もシュノーケルなど空気置換孔が機能するように継手２８で空気置換孔の位置を中央からずらす。つまり、図１１に示すように、溝２８ａは、連通路１８に繋がる側と誘導パイプ２４ｂに繋がる側が、継手２８の周方向で９０度ずれた位置になっている。このため、横置き時でも、下方の供給パイプ１６が塗布液に浸かっているが、上方の連通路１８が空気に臨むのでそこから空気を逃がすことができる。
【００６１】
空気の逃げ道が塗布液タンク１４内では空気置換孔が縦に並び、塗布液タンク１４外ではパイプ（誘導パイプ２４ｂ）が横に並ぶので、塗布体１０の形状的に素直にしている。
【００６２】
実施形態の髪用塗布具によれば、残量の視認が容易で、また供給パイプ１６の長さを異ならせることで、容器の内圧を逃がすと共に塗布液の供給を断つことがない髪用塗布具を提供できる。
【００６３】
なお、容器形状を非対称形状とすることで容器を横向きにしても供給パイプ１６を機能させることができる。
【産業上の利用可能性】
【００６４】
本発明の髪用塗布具は、髪（人間、その他のペット動物等を含む毛髪）を梳きながら容器に収容した塗布液（染毛剤、整髪剤、育毛剤等）を髪に塗布するための髪用塗布具に利用することができる。
【符号の説明】
【００６５】
１０  多孔質塗布体
１０ａ  先方端
１２  櫛部
１２ａ  櫛体
１４  塗布液タンク
１４ａ  塗布液タンクの上端口元部
１６  供給パイプ
１８  連通路
２０  中綿
２２  塗布部
２２  塗布部
２４  先軸部
２４ａ  継手受け部
２４ｂ  誘導パイプ
２４ｃ  空気置換溝
２６  カバー体
２６ａ  円形開口
２８  継手
２８ａ  溝
３０  シール材
【図１】
2016087068.tif 000003
【図２】
2016087068.tif 000004
【図３】
2016087068.tif 000005
【図４】
2016087068.tif 000006
【図５】
2016087068.tif 000007
【図６】
2016087068.tif 000008
【図７】
2016087068.tif 000009
【図８】
2016087068.tif 000010
【図９】
2016087068.tif 000011
【図１０】
2016087068.tif 000012
【図１１】
2016087068.tif 000013
【図１２】
2016087068.tif 000014